(57)【要約】【課題】  静粛性を実現することができる騒音制御機能を備えた装置を提供する。【解決手段】  本発明は、装置筐体に開口部が形成された装置において、装置筐体内から開口部を介して外部に漏れる騒音に対して指向性を持たせる指向手段（例えば、音のフレネルレンズ１３）が開口部に設けられてなることを特徴とする。【選択図】  図１
2006053326.tif 000002
【特許請求の範囲】
【請求項１】
装置筐体に開口部が形成された装置において、装置筐体内から開口部を介して外部に漏れる騒音に対して指向性を持たせる指向手段が該開口部に設けられてなることを特徴とする騒音制御機能を備えた装置。
【請求項２】
前記指向手段は、装置筐体上の操作部にて作業を行うオペレータに向けて騒音が発されるのを規制すべく騒音を指向する請求項１に記載の騒音制御機能を備えた装置。
【請求項３】
前記操作部及び前記開口部は、装置筐体の前面に設けられてなる請求項１又は２に記載の騒音制御機能を備えた装置。
【請求項４】
前記指向手段は、音のフレネルレンズである請求項１乃至３の何れか１項に記載の騒音制御機能を備えた装置。
【発明の詳細な説明】
【技術分野】
【０００１】
本発明は、装置筐体内から開口部を介して外部に漏れ出る騒音を制御する機能を備えた装置に関する。
【背景技術】
【０００２】
図３に示す装置は、ネガフィルムやポジフィルム等の写真フィルムＦから画像を読み取るスキャナ２、ＣＤ−ＲＯＭやメモリカード等のメディアＭに対して画像データの読み書き可能なメディアドライブ３、写真フィルムＦやメディアＭから読み込んだ画像を表示するモニタ４、オペレータの操作指令を受け取る入力装置５、及び読み込んだ画像に基づいて感光材料を露光処理する露光処理部を備えたプリンタ部１と、露光処理された感光材料を現像処理する現像処理部、現像処理された感光材料を乾燥処理する乾燥処理部、及び乾燥処理されて写真プリントとなった感光材料を仕分け処理する仕分処理部７〜９を備えたプロセッサ部６とからなる写真処理装置である。
【０００３】
露光処理部、現像処理部及び乾燥処理部は、装置筐体内に配置されるために図示できないのであるが、このような各種の処理部を装置筐体内に収めた装置にあっては、運転により昇温した空気を排気して装置筐体内の温度を下げたり、例えば現像処理部にて発生したガスを排気して装置筐体内の雰囲気を良くするために、装置筐体に開口部１０，１１を形成すると共に、該開口部１０，１１の内側に排気ファンを設けることが一般的に行われている。
【０００４】
開口部１０は、主としてレーザエンジン等の露光処理手段からの発熱によって昇温した空気を排出するためのものであり、開口部１１，…は、主として気化した現像処理液を排出するためのものであるが、これら開口部１０，１１は、写真処理装置が場所を取らないようにするために該写真処理装置の背面を壁に近づけて設置した場合のメンテナンス性、排気性等を考慮して、装置筐体の前面に形成されるものである。
【発明の開示】
【発明が解決しようとする課題】
【０００５】
ところで、上記プリンタ部１における開口部１０は、プリンタ部１の内部配置の関係上、必然的に入力装置５がある操作部の近傍に設けられることとなる。そうとなれば、図４に示す如く、該開口部１０における排気ファン１２から発生する機械的な騒音が開口部１０を介して外部に漏れ出ることにより、操作部にて作業を行うオペレータに騒音が届き、オペレータによってはそれを不快に思うこともある。
【０００６】
そこで、本発明は、上記問題に鑑みてなされたもので、静粛性を実現することができる騒音制御機能を備えた装置を提供することを課題とする。
【課題を解決するための手段】
【０００７】
本発明に係る騒音制御機能を備えた装置は、装置筐体に開口部が形成された装置において、装置筐体内から開口部を介して外部に漏れる騒音に対して指向性を持たせる指向手段が該開口部に設けられてなることを特徴とする。
【０００８】
上記構成によれば、指向手段が装置筐体内から開口部を介して外部に漏れる騒音を人の耳に届かない方向に指向させる。騒音を低減するのではなく、騒音の方向性を制御する発想である。
【０００９】
例えば、本発明に係る騒音制御機能を備えた装置は、前記指向手段が装置筐体上の操作部にて作業を行うオペレータに向けて騒音が発されるのを規制すべく騒音を指向する構成である。かかる構成によれば、装置筐体内から開口部を介して外部に漏れる騒音はオペレータの耳に届かないので、騒音が発生しているにも関わらず、その騒音がオペレータには聞こえず、実質的に静粛性が実現される。
【００１０】
また、本発明に係る騒音制御機能を備えた装置は、前記操作部及び前記開口部が装置筐体の前面に設けられてなる構成を採用するのがより好ましい。かかる構成によれば、静粛性を実現しつつ、装置筐体の背面を壁に近づけて設置することができるため、装置が場所を取らないようにすることができて、スペースの有効利用を図ることができる。
【００１１】
また、本発明に係る騒音制御機能を備えた装置は、前記指向手段が音のフレネルレンズである構成を採用することができる。かかる構成によれば、音のフレネルレンズによって、騒音が開口部から拡散することなく、開口部の延長線上の一点に集められるため、その騒音がオペレータには聞こえず、実質的に静粛性が実現される。そもそも音のフレネルレンズは、集音効果を目的としたものであるが、この集音効果を音の指向性という観点で捉えた点に特徴がある。しかも、音のフレネルレンズは、簡潔な構成であるため、製造コストを抑えることができる。
【発明の効果】
【００１２】
以上のように、本発明は、騒音が発生しているにも関わらず、指向手段によりその騒音が人の耳に届かないようにしているため、静粛性を実現することができ、人が不快に思うこともない。
【発明を実施するための最良の形態】
【００１３】
以下、本実施形態に係る写真処理装置について図面を参酌しつつ説明する。尚、本実施形態に係る写真処理装置は、従来の写真処理装置と比べて、プリンタ部１における開口部が異なっている点に特徴があり、その他の構成については、従来の写真処理装置と同様であるため、その説明を割愛する。
【００１４】
図１に示す如く、本実施形態に係る開口部１３は、音のフレネルレンズである。音のフレネルレンズは、図２に示す如く、可聴音を焦点（開口部１３の延長線上の一点）の位置に集積させるもので、音源（排気ファン１２）から出た音波（騒音）の波面が装置筐体に形成されたフレネルゾーンを通過する時に回折し、焦点のところで干渉して強め合うようになっている。
【００１５】
フレネルゾーンは、装置筐体に形成された円孔１３ａの中に一又は複数の環状リング１３ｂ（中心には、円形のディスク１３ｃ）を適宜同心に配置し、円周状や円弧状の隙間が径方向に所定間隔を有して複数設けられるようにしたものである。排気ファン１２から出た騒音は、この隙間を通過する時に回折し、焦点のところで干渉して強め合うようになっている。
【００１６】
このように、本実施形態に係る写真処理装置によれば、排気ファン１２から開口部１３を介して外部に漏れる騒音が音のフレネルレンズにより一点（オペレータの耳の位置から外れた箇所）に集音され、オペレータの耳に届かないようになっているので、騒音が発生しているにも関わらず、その騒音がオペレータには聞こえず、実質的に静粛性が実現されることとなる。
【００１７】
尚、本発明は、上記実施形態に限定されるものではなく、本発明の要旨を逸脱しない範囲で種々の変更が可能である。
【００１８】
例えば、指向手段としては、音のフレネルレンズ以外にも、ルーバーであってもよい。
【００１９】
また、上記実施形態においては、オペレータを対象としているが、ラボ店に上記実施形態に係る写真処理装置を設置した場合、操作部にて作業を行うオペレータ以外の店員や顧客に対しても効果的である。
【００２０】
さらに、本発明は、写真処理装置以外の装置にも適用されるものである。
【図面の簡単な説明】
【００２１】
【図１】本実施形態に係る写真処理装置の外観斜視図を示す。
【図２】同実施形態に係る写真処理装置の騒音制御機能を説明するための該写真処理装置の概略側面図を示す。
【図３】従来の写真処理装置の外観斜視図を示す。
【図４】従来の写真処理装置の騒音発生状態を説明するための該写真処理装置の概略側面図を示す。
【符号の説明】
【００２２】
１２  排気ファン
１３  開口部（音のフレネルレンズ）
【図１】
2006053326.tif 000003
【図２】
2006053326.tif 000004
【図３】
2006053326.tif 000005
【図４】
2006053326.tif 000006